(57)【特許請求の範囲】
【請求項１】
単独処理浄化槽と、単独処理浄化槽の下流側に接続された好気処理槽と、濾過器とを備えることにより、屎尿と、台所排水、洗濯排水、洗面・浴室排水等の生活雑排水の浄化処理を可能とする合併処理化装置であって、
前記単独処理浄化槽は、嫌気処理部または好気処理部を有し、好気処理部を有する場合は、好気処理部に設置してある空気供給装置を撤去または停止して、嫌気処理部に改造することにより、単独処理浄化槽を嫌気処理槽とし、
屎尿、台所排水、洗濯排水は単独処理浄化槽に流入し、
洗面・浴室排水は経路途上に前記濾過器が配設され、濾過処理された後に、好気処理槽の放流部に流入するよう構成されてなる合併処理化装置。
【請求項２】
前記好気処理槽は上流側から下流側に、生物反応部と濾過部と処理水貯留部を有し、生物反応部と濾過部において、洗浄に係わった洗浄水を単独処理浄化槽に返送する返送手段を備える請求項１記載の合併処理化装置。
【請求項３】
前記単独処理浄化槽が、沈殿分離室と、接触ばっ気室と、沈殿室とを備えた既設の単独処理浄化槽である請求項１または２記載の合併処理化装置。
【発明の詳細な説明】
【０００１】
【発明の属する技術分野】
本発明は、屎尿と、台所排水、洗濯排水、洗面・浴室排水等の生活雑排水の浄化処理を可能とする合併処理化装置に関する。
【０００２】
【従来の技術】
従来から、屎尿の浄化を行う装置としては、単独処理浄化槽を用いている。図４は、分離接触ばっ気方式の単独処理浄化槽を示す概略断面図である。
屎尿は、流入口２から沈殿分離室３へと流入し、固液分離及び嫌気処理が行われ、接触ばっ気室４へと移流する。接触ばっ気室４内では、移流した水が散気管７から散気される空気の泡により攪拌されて接触材８に接触し、栄養基質の酸化除去が徐々に行われる。接触材８は、攪拌を継続していると生物膜が厚く堆積し閉塞するので、定期的に逆洗管９より空気泡を吐出することで生物膜を剥離させる。接触ばっ気室４を通過した水は、沈殿室５にてＳＳ（浮遊物質）の沈降分離を行ってから、分離した上澄み液を消毒室６へと移流させ、滅菌処理を施した後に流出口１０より放流される構成となっている。なお、好気処理方法として接触ばっ気法を示したが、空気泡を放散して空気攪拌のみによるばっ気方法もある。
【０００３】
【発明が解決しようとする課題】
しかしながら、単独処理浄化槽は、容量が小さく処理すべき水の種類が屎尿に限定され、台所排水、洗濯排水、洗面排水及び浴室排水等の生活雑排水を処理できないとの課題を有している。
このような問題は、既設の単独処理浄化槽を撤去して新たに合併処理浄化槽を設置することで解決できるが、施工費用が高額となるばかりでなく、多くの単独処理浄化槽がＦＲＰ製であることから、不要となった単独処理浄化槽の処分に関しても新たな問題を発生させていた。また、単独処理浄化槽を掘り起こすことなく、埋め殺す場合には、処分に関する問題は発生しないものの、土地の有効活用ができないとする別の問題を発生させている。
また、洗面・浴室排水は排水量が多く既設の小型の単独処理浄化槽では処理しきれない場合もあり、さらに、排水に混入する毛髪類は経路、流入口・流出口を閉塞したり、また槽内の機器に絡まってしまう不都合があった。
【０００４】
本発明は、上記のような課題に鑑みてなされたものであり、既設の単独処理浄化槽を有効利用することで、単独処理浄化槽の廃棄処分問題を解決すると共に、新たに合併処理浄化槽を購入するよりも安価に屎尿処理と生活雑排水処理を可能とすると共に、浴室排水の合流をスムーズに実行できる合併処理化装置を提供する。
【０００５】
【課題を解決するための手段】
本発明の合併処理化装置は、既設単独処理浄化槽を利用して、単独処理浄化槽と、単独処理浄化槽の下流側に接続された好気処理槽と、濾過器とを備えることにより、屎尿と、台所排水、洗濯排水、洗面・浴室排水等の生活雑排水の浄化処理を可能とする構成を有する。単独処理浄化槽は、嫌気処理部または好気処理部を有し、好気処理部を有する場合は、好気処理部に設置してある空気供給装置を撤去または停止して、嫌気処理部に改造することにより、単独処理浄化槽を嫌気処理槽とし、屎尿排水、台所排水、洗濯排水が流入されると共に、洗面・浴室排水の配管途上に前記濾過器を配設し、濾過された洗面・浴室排水が好気処理槽の放流部に流入する構成を有している。また、好気処理槽は上流側から下流側に、生物反応部と濾過部と処理水貯留部を有し、生物反応部と濾過部において、洗浄に係わった洗浄水を単独処理浄化槽に返送する返送配管を配設する構成を具備する。また、前記単独処理浄化槽が、沈殿分離室と、接触ばっ気室と、沈殿室とを備えた既設の単独処理浄化槽であってもよい。
【０００６】
【発明の実施の形態】
次に、発明の実施の形態を説明する。
本発明の合併処理化装置を構成する単独処理浄化槽は、嫌気処理部及び好気処理部を有するものでよい。具体的には、従来技術にて説明したように、流入口及び流出口を有し、内部に上流側から沈殿分離室、接触ばっ気室、沈殿室を設けたものを好適に用いることができる。
好気処理部を有する場合は、好気処理部に設置してある空気供給装置（散気管、回転円板等）を撤去または停止して、嫌気処理部に改造することにより、単独処理浄化槽全体を嫌気処理槽とする。つまり、流入水量の増加に伴い嫌気処理部の容量の増加を図る。
【０００７】
本発明の好気処理槽は既設の単独処理浄化槽の下流側に移流管で接続されている。
【０００８】
既設の単独処理浄化槽には屎尿排水と洗面・浴室排水以外の台所排水（ディスポーザ排水を含む）、洗濯排水等の生活雑排水が直接流入され、また、洗面・浴室排水は配管途上に設けるフイルターなどを配設する濾過器を通過して、毛髪などの混入物を除去した後に好気処理槽に流入し、屎尿排水と生活雑排水が合併して処理される。
そして、単独処理浄化槽において排水は夾雑物除去及び嫌気分解が実行され、好気処理槽においてはアンモニアの硝化及び有機物の酸化が実行され、処理水として放出される。また、汚染度の低い洗面・浴室排水を濾過器を通したのみで放流部に合流させることで、合併処理化装置の小型化が図られる。
【０００９】
そして、内部には担体を充填する生物反応部、生物反応部の下流側に配置する内部には担体を充填する濾過部を備えている。好気処理槽は、濾過部において洗浄に係わった洗浄水をポンプにより単独処理浄化槽に返送することにより、洗浄水の貯留部を割愛でき、さらに小型化できる。
また、洗面・浴室排水のうち、特に汚染度の低い浴槽排水のみを濾過器に通過させ、その他は単独処理浄化槽に流入させることが好ましい。
【００１０】
（実施例）以下図面を用いて、本発明の実施例を説明する。図１、２は、本発明の一基本例を示す合併処理化装置１００の構成説明図であり、図１は概略平面図、図２は概略側断面図を示す。
【００１１】
合併処理化装置１００は、屎尿排水ａと洗面・浴室排水以外の生活雑排水、例えば台所・洗濯排水ｂを流入させる単独処理浄化槽１０と、単独処理浄化槽１０の下流側に配設する好気処理槽３０を有する。そして、単独処理浄化槽１０は、既設の単独処理浄化槽を用いている。
既設の単独処理浄化槽は内部構造を、嫌気処理部又は好気処理部を備えているものであれば良い。図示される単独処理浄化槽１０は、上流側から流入口１１、沈殿分離室１２、接触ばっ気室１３、沈殿室１４、消毒室１５、流出口１６が設けられている。そして、接触ばっ気室１３に設置してある散気管（図示略）には空気を供給せず、接触ばっ気室１３を嫌気処理室に改造する。
単独処理浄化槽１０は流入口１１を屎尿排水ａを搬送する屎尿配管、洗面・浴室排水（以後浴室排水という）以外の生活雑排水である台所・洗濯排水ｂを搬送する配管に接続する。流出口１６は連結移流管２１を介して好気処理槽３０の流入口３８に接続している。
【００１２】
また、浴室排水ｃを搬送する浴室排水管は濾過器５０を通って好気処理槽３０の流入口３８に流入する構成となっている。なお、浴室排水ｃは連結移流管２１に接続されてもよい。
濾過器５０はフイルター等が配設され、浴室排水ｃに混入して流下する毛髪などのごみを除去する。濾過器５０のフイルターは所定の間隔、例えばメンテナンス時に清掃する。
【００１３】
好気処理槽３０は槽の上下には通水部材３１ａ，３１ｂが設置され、通水部材３１ａ，３１ｂ間には担体を充填している。通水部材３１ａ，３１ｂは担体の通過は妨げるが排水は通過させる構造となっている。担体は上部を生物反応部３２、下部を濾過部３３としている。そして、生物反応部３２の下部、および濾過部３３の下部には散気部材３４，３５が配設されている。生物反応部３２の下部に配設される散気部材３４は好気処理の実行のために配設され、常時空気泡の吐出を行っている。また、濾過部３３の下部の散気部材３５は担体に付着する生物膜の剥離の実行のために配設され、例えば１日１回の濾過部３３の洗浄時、空気泡の吐出を１〜３０分程度行っている。また、濾過部３３の下流側には処理水貯留部３６、および消毒槽３７が設けられている。
【００１４】
そして、単独処理浄化槽１０と生物濾過槽３０とは移流管２１で接続されて、単独処理浄化槽１０を通過した排水が移流管２１を通って生物濾過槽３０に流入する。このため、流入する排水に消毒剤が残留していると生物濾過に支障をきたすので、単独処理浄化槽１０の消毒室１５内の消毒薬剤は取り除いておく。
さらに、濾過部３３の下流側には洗浄排水移送管２２を配設する。洗浄排水移送管２２は移送ポンプ２３を介して単独処理浄化槽１０に接続する排水返送管２５を連設し、濾過部３３の担体を洗浄した洗浄排水を単独処理浄化槽１０に返送する構成となっている。
【００１５】
次に、水の流れについて説明する。
家庭から排出される屎尿排水ａは、および台所排水・洗濯排水ｂは、単独処理浄化槽１０の流入口１１より流入する。そして、屎尿排水ａ、台所・洗濯排水ｂが合流して単独処理浄化槽１０内において夾雑物の除去及び嫌気分解が実行される。そして、沈殿室１４内でＳＳ分の沈降分離を行って、消毒剤を設置していない消毒室１５を通過して流出口１６から移流管２１へと流入する。
【００１６】
浴室排水ｃは濾過器５０を通過して、髪の毛、ごみ等が取り除かれ、流入口３８から流入する。
流入口３８から好気処理槽３０に流入した排水ａ，ｂ、ｃは生物反応部３２にて散気部材３４からの空気泡の吐出による好気処理がなされ、その後、濾過部３３にてＳＳの除去がなされる。そして、浄化処理された排水は処理水貯留部３６から消毒槽３７で滅菌処理されて流出口３９から放流される。
このとき、濾過部３３は継続して濾過を実行すると、担体に生物膜が厚く堆積して間隙が閉塞してしまう。そこで、定期的に散気部材３５から空気泡の吐出を実行して担体を攪拌させ、担体表面からの生物膜の剥離を行う。濾過部３３の洗浄に利用された剥離汚泥を含有する洗浄水は移送ポンプ２３を稼動させることで、洗浄排水移送管２２に引き抜かれ、返送管２５により単独処理浄化槽１０へと返送される。そして、単独処理浄化槽１０から好気処理槽３０へと循環する構成となっている。この構成により、好気処理槽３０は洗浄水槽を配設する必要が無く小型とすることができる。
【００１７】
このように構成される合併処理化装置１００は既設の単独処理浄化槽１０を嫌気処理槽として有効利用し、好気処理槽３０による確実な好気処理が実行されるので、屎尿排水ａと生活雑排水ｂ、ｃを合併して処理でき、かつ流出口３８から放出される処理水は高度な処理水質を確保できる。
【００１８】
さらに、浴室排水は濾過器５０によって、毛髪などのごみが除去されてから好気処理槽３０に流入するので、流入口の詰まり、配設部材への毛髪類の絡まり等が無く、上流側から下流側への排水の流下がスムーズに実行される。
【００１９】
次に、図３に示す本発明の実施例を説明する。この実施例は、浴室排水ｃの流路を屎尿排水ａ、台所排水などの生活雑排水ｂとは別の流路としている。すなわち、浴室排水ｃは濾過器５０を通過した後、好気処理槽３０下流側の処理水の放流部に合流させて放流する構成となっている。この構成による合併処理化装置における屎尿排水ａ、および台所排水ｂは単独処理浄化槽１０に流入し、沈殿・濾過の嫌気処理を実行される。そして、移流管２１を経て好気処理槽３０において好気処理、濾過処理をされて、放流される。一方、浴室排水ｃは汚染の度合いが他の排水に比較して低いので、濾過器５０で頭髪などのごみを取り除くのみで放流するものである。また、浴室排水ｃは濾過器５０を通過した後、消毒槽３７に流入して滅菌処理されてから放流されたほうが好ましい。この実施例に示す合併処理化装置は、短時間に多量の排水となる浴室排水を別配管として、濾過器を通過させるのみで放流させているので、好気処理槽３０を小型とすることができる。
【００２０】
【発明の効果】
本発明は、既設の単独処理浄化槽を利用して屎尿と生活雑排水の合併処理を可能とすると共に、単独処理浄化槽を処分し新たな合併処理浄化槽を設置する場合に比較し安価に合併処理を行うことが可能であり、単独処理浄化槽の処分問題を解決できる。
【００２１】
また、濾過器を設けて浴室排水から雑物を除去することにより汚染度の低い浴室排水の浄化処理の必要を無くし、合併処理化装置の小型化が達成できる。
【００２２】
このように、本発明の合併処理浄化装置は、屎尿および生活雑排水を合併させて単独処理浄化槽における嫌気処理、生物濾過などによる好気処理が確実に実行され、装置から排出される処理水は高度な（ＢＯＤ２０ｍｇ／Ｌ以下）処理水質を確保できる。
【図面の簡単な説明】
【図１】本発明の基本の形態例を示す合併処理化装置の概略断面図。
【図２】本発明の基本の形態例を示す合併処理化装置の概略平面図。
【図３】本発明の実施の形態例を示す説明側面図。
【図４】分離接触ばっ気方式の単独処理浄化槽の従来例を示す説明側面図。
【符号の説明】
１０ 単独処理浄化槽
１１ 流入口
１６ 流出口
２１ 連結移流管
２２ 洗浄排水移送管
２３ 移送ポンプ
２５ 返送管
３０ 好気処理槽
３１ａ，３１ｂ 通水部材
３２ 生物反応部
３３ 濾過部
３４，３５ 散気部材
３６ 処理水貯留部
３７ 消毒槽
３８ 流入口
３９ 放流口
５０ 濾過器
１００ 合併処理化装置
【図１】
0004368506.tif 000002
【図２】
0004368506.tif 000003
【図３】
0004368506.tif 000004
【図４】
0004368506.tif 000005